(57)【要約】【課題】無線装置から無声制御装置への信号伝送の時間が揺らいでも無線制御装置の無線信号処理に使用可能な時間を長くすること。【解決手段】基地局１００は、無線装置１１０と、無線制御装置１２０と、により実現される。無線装置１１０は、無線信号の送受信が可能であり、無線により受信した信号を送信する。無線制御装置１２０は、無線装置１１０から信号を所定量受信する毎に時刻を記憶し、無線装置１１０によって無線信号の送受信を行う無線信号処理を、記憶した複数の時刻に基づいて算出した時刻に基づいて行う。【選択図】図１
2018067761.tif 000002
【特許請求の範囲】
【請求項１】
無線装置が無線により受信した信号を前記無線装置から受信する通信部と、
前記通信部によって信号が所定量受信される毎に時刻を記憶し、前記無線装置によって無線信号の送受信を行う無線信号処理を、記憶した複数の時刻に基づいて算出した時刻に基づいて行う制御部と、
を備えることを特徴とする無線制御装置。
【請求項２】
前記無線信号処理には、前記通信部によって受信された信号を復号する処理が含まれ、
前記制御部は、前記複数の時刻に基づいて、前記通信部によって信号が前記所定量受信される予測時刻を算出し、算出した予測時刻より早い時刻に前記信号を復号する処理を開始する、
ことを特徴とする請求項１に記載の無線制御装置。
【請求項３】
前記通信部は、前記無線装置から受信した信号を、前記所定量より少ない単位で前記制御部へ出力することを特徴とする請求項２に記載の無線制御装置。
【請求項４】
無線信号の送受信が可能な無線部と、
自装置から信号を所定量受信する毎に時刻を記憶し、自装置によって無線信号の送受信を行う無線信号処理を、記憶した複数の時刻に基づいて算出した時刻に基づいて行う無線制御装置へ、前記無線部によって受信された信号を送信する通信部と、
を備えることを特徴とする無線装置。
【請求項５】
無線装置と接続された無線制御装置による処理方法であって、
前記無線装置が無線により受信した信号を前記無線装置から受信し、
信号が所定量受信される毎に時刻を記憶し、
前記無線装置によって無線信号の送受信を行う無線信号処理を、記憶した複数の時刻に基づいて算出した時刻に基づいて行う、
ことを特徴とする処理方法。
【請求項６】
無線信号の送受信が可能な無線装置による処理方法であって、
無線により信号を受信し、
自装置から信号を所定量受信する毎に時刻を記憶し、自装置によって無線信号の送受信を行う無線信号処理を、記憶した複数の時刻に基づいて算出した時刻に基づいて行う無線制御装置へ、受信した信号を送信する、
ことを特徴とする処理方法。
【発明の詳細な説明】
【技術分野】
【０００１】
本発明は、無線制御装置、無線装置および処理方法に関する。
【背景技術】
【０００２】
従来、３ＧＰＰにおいて、第３世代移動通信システム（３Ｇ）、第３．９世代移動通信システムに対応するＬＴＥ、第４世代移動通信システムに対応するＬＴＥ−Ａｄｖａｎｃｅｄなどの移動通信システムの仕様が検討されている。３ＧＰＰは３ｒｄ  Ｇｅｎｅｒａｔｉｏｎ  Ｐａｒｔｎｅｒｓｈｉｐ  Ｐｒｏｊｅｃｔの略である。ＬＴＥはＬｏｎｇ  Ｔｅｒｍ  Ｅｖｏｌｕｔｉｏｎの略である。また、第５世代移動通信システム（５Ｇ）に関する技術の検討も開始されている。
【０００３】
また、ピコネットメンバーデバイスにおいて、受信したピコネット通信信号におけるビーコンフレームを検出し、該ビーコンフレームがピコネットスーパーフレームの境界を定める技術が知られている（たとえば、下記特許文献１参照。）。また、端末との間で無線通信を行う基地局を、無線信号の送受信を行う無線装置と、その無線装置を制御する無線制御装置と、によって実現する構成が知られている。
【先行技術文献】
【特許文献】
【０００４】
【特許文献１】特開２００４−２６６８３２号公報
【発明の概要】
【発明が解決しようとする課題】
【０００５】
しかしながら、上述した従来技術では、無線装置から無声制御装置への信号伝送の時間が揺らいでも無線制御装置の無線信号処理に使用可能な時間を長くすることが求められる。
【０００６】
たとえば無線制御装置を汎用サーバなどの装置により実現する場合は、無線装置と無線制御装置との間の信号伝送が、無線装置による無線信号の送受信と非同期になることが考えられる。このため、無線装置と無線制御装置との間の伝送遅延の揺らぎにより、無線装置から無声制御装置への信号伝送の時間が揺らいでも無線制御装置の無線信号処理に使用可能な時間を長くすることができない場合がある。
【０００７】
１つの側面では、本発明は、無線装置から無声制御装置への信号伝送の時間が揺らいでも無線制御装置の無線信号処理に使用可能な時間を長くすることができる無線制御装置、無線装置および処理方法を提供することを目的とする。
【課題を解決するための手段】
【０００８】
上述した課題を解決し、目的を達成するため、本発明の一側面によれば、無線装置が、無線信号の送受信が可能であり、無線により受信した信号を送信し、無線制御装置が、前記無線装置から信号を所定量受信する毎に時刻を記憶し、前記無線装置によって無線信号の送受信を行う無線信号処理を、記憶した複数の時刻に基づいて算出した時刻に基づいて行う無線制御装置、無線装置および処理方法が提案される。
【発明の効果】
【０００９】
本発明の一側面によれば、無線装置から無声制御装置への信号伝送の時間が揺らいでも無線制御装置の無線信号処理に使用可能な時間を長くすることができるという効果を奏する。
【図面の簡単な説明】
【００１０】
【図１】図１は、実施の形態にかかる基地局の一例を示す図である。
【図２】図２は、実施の形態にかかる無線装置および無線制御装置の一例を示す図である。
【図３】図３は、実施の形態にかかる無線制御装置における無線信号処理の時間の一例を示す図である。
【図４】図４は、実施の形態にかかる無線信号処理部の一例を示す図である。
【図５】図５は、実施の形態にかかる無線制御装置における第２同期信号補正の一例を示す図である。
【図６】図６は、実施の形態にかかる無線制御装置における無線信号処理の開始時間の設定の一例を示す図である。
【図７】図７は、実施の形態にかかる同期信号の生成時刻の予測の一例を示す図（その１）である。
【図８】図８は、実施の形態にかかる同期信号の生成時刻の予測の一例を示す図（その２）である。
【図９】図９は、実施の形態にかかる無線制御装置による初期化処理の一例を示すフローチャートである。
【図１０】図１０は、実施の形態にかかる無線制御装置による同期処理の一例を示すフローチャートである。
【図１１】図１１は、実施の形態にかかる無線制御装置のハードウェア構成の一例を示す図である。
【発明を実施するための形態】
【００１１】
以下に図面を参照して、本発明にかかる無線制御装置、無線装置および処理方法の実施の形態を詳細に説明する。
【００１２】
（実施の形態）
（実施の形態にかかる基地局）
図１は、実施の形態にかかる基地局の一例を示す図である。図１に示すように、実施の形態にかかる基地局１００は、無線装置１１０と、無線制御装置１２０と、を含む。無線装置１１０および無線制御装置１２０は伝送路１０１によって互いに接続されている。無線装置１１０は、無線制御装置１２０からの制御によって無線信号の送受信を行う。たとえば、無線装置１１０は、無線部１１１と、通信部１１２と、を備える。
【００１３】
無線部１１１は、たとえば、アンテナ１１１ａ，１１１ｂを有し、アンテナ１１１ａ，１１１ｂによって他の通信装置との間で無線信号の送受信を行う。たとえば、無線部１１１は、端末１３０との間で無線通信を行う。端末１３０は、たとえば３ＧＰＰのＵＥ（Ｕｓｅｒ  Ｅｑｕｉｐｍｅｎｔ：ユーザ端末）などの無線端末である。また、無線部１１１は、１個のアンテナを有し、１個のアンテナによって無線信号の送受信を行ってもよい。また、無線部１１１は、３個以上のアンテナを有し、３個以上のアンテナによって無線信号の送受信を行ってもよい。
【００１４】
たとえば、無線部１１１は、端末１３０から無線により受信した信号（たとえばアップリンク信号）を通信部１１２へ出力する。また、無線部１１１は、通信部１１２から出力された信号（たとえばダウンリンク信号）を、アンテナ１１１ａ，１１１ｂによって端末１３０へ無線送信する。また、無線部１１１による無線信号の送受信は、データ量の所定単位毎に行われる。データ量の所定単位は、一例としてはサブフレーム（無線サブフレーム）である。
【００１５】
通信部１１２は、無線部１１１から出力された信号を、伝送路１０１を介して無線制御装置１２０へ送信する。また、通信部１１２は、無線制御装置１２０から伝送路１０１を介して送信された信号を受信する。そして、通信部１１２は、受信した信号を無線部１１１へ出力する。
【００１６】
無線制御装置１２０は、無線装置１１０によって無線信号の送受信を行う無線信号処理を行う。無線信号処理は、たとえば、基地局１００が無線により受信した信号を復号するための基地局１００における処理のうち無線装置１１０による処理を除く処理である。たとえば、無線制御装置１２０は、たとえば３ＧＰＰのｅＮＢなどの各種の基地局のベースバンド処理部を含む。また、無線制御装置１２０は、たとえば汎用サーバなどにおいてソフトウェアによって実現される。
【００１７】
伝送路１０１は、無線部１１１による無線信号の送受信と非同期の伝送路である。たとえば、伝送路１０１は、無線部１１１が無線により受信した信号をアナログ信号からデジタル信号に変換する際のサンプリング周波数と非同期のタイミングで信号伝送が行われる伝送路である。一例としては、伝送路１０１は、イーサネット（登録商標）を用いた伝送路である。ただし、伝送路１０１はイーサネットに限らず、たとえばインフィニバンドなどの伝送路であってもよい。無線部１１１による無線信号の送受信と非同期の伝送路１０１によって無線装置１１０と無線制御装置１２０とを接続することにより、無線制御装置１２０を実現するハードウェアの制約を少なくすることができる。
【００１８】
たとえば、ＣＰＲＩなどの専用の通信インタフェースを無線制御装置１２０に設けなくても、無線装置１１０と無線制御装置１２０との間の信号伝送をイーサネットなどの汎用の通信インタフェースで実現できる。ＣＰＲＩはＣｏｍｍｏｎ  Ｐｕｂｌｉｃ  Ｒａｄｉｏ  Ｉｎｔｅｒｆａｃｅの略である。このため、無線制御装置１２０を汎用サーバなどの汎用のコンピュータにおいてソフトウェアによって実現することが可能になる。
【００１９】
無線制御装置１２０は、たとえば、通信部１２１と、制御部１２２と、を備える。通信部１２１は、無線装置１１０から伝送路１０１を介して送信された信号（たとえばアップリンク信号）を受信し、受信した信号を制御部１２２へ出力する。また、通信部１２１は、制御部１２２から出力された信号（たとえばダウンリンク信号）を、伝送路１０１を介して無線装置１１０へ送信する。
【００２０】
制御部１２２は、通信部１２１を介して無線装置１１０と通信を行うことにより、無線装置１１０によって無線信号の送受信を制御する無線信号処理を行う。このとき、上述のように伝送路１０１は無線部１１１による無線信号の送受信と非同期であるため、通信部１２１から制御部１２２へ出力される信号も、無線部１１１による無線信号の送受信と非同期である。このため、制御部１２２は、通信部１２１から制御部１２２へ出力される信号に基づいて、通信部１２１から制御部１２２へ出力される信号のタイミング（たとえば所定単位の境界）を検出する同期を行う。
【００２１】
たとえば、制御部１２２は、通信部１２１から所定量の信号が出力される毎にその時の時刻を記憶する。また、制御部１２２は、記憶した複数の時刻に基づいて、通信部１２１から制御部１２２へ出力される信号のタイミングを算出する。信号のタイミングは、たとえば信号の所定単位の境界のタイミングである。信号の所定単位は、たとえば無線装置１１０による送受信の単位（一例としてはサブフレームの単位）である。たとえば、制御部１２２は、記憶した複数の時刻に基づく線形近似によって信号のタイミングを算出する。そして、制御部１２２は、算出したタイミングに基づいて、無線装置１１０による無線信号の送受信を制御する無線信号処理を行う。
【００２２】
たとえば、制御部１２２は、記憶した複数の時刻に基づいて、無線装置１１０から信号を所定量（たとえば１サブフレーム分）受信する将来の時刻（予測時刻）を算出し、算出した予測時刻に、信号を復号する処理（たとえばフーリエ変換）を開始する。また、たとえば、制御部１２２は、算出した予測時刻、すなわち信号の所定単位の境界の予測時刻を示す同期信号を生成し、生成した同期信号を契機として、信号を復号する処理を開始する。同期信号は、信号の所定単位の境界を示す信号である。
【００２３】
このように、無線制御装置１２０は、無線装置１１０から信号を所定量受信する毎に時刻を記憶し、記憶した複数の時刻に基づいて算出した時刻に基づいて無線信号処理を行う。これにより、無線装置１１０から無線制御装置１２０への伝送路１０１による信号の伝送のタイミングが揺らいでも、揺らぎを抑えた信号のタイミングを算出して無線信号処理を行うことができる。このため、無線制御装置１２０における無線信号処理に使用可能な時間を長くすることができる。
【００２４】
無線装置１１０による無線信号の送受信の制御には、たとえば、無線装置１１０から伝送路１０１を介して送信されて通信部１２１により受信され、通信部１２１から制御部１２２へ出力された信号を復号する処理が含まれる。また、無線装置１１０による無線信号の送受信の制御には、たとえば、無線装置１１０によって無線送信するための信号を生成し、生成した信号を伝送路１０１により無線装置１１０へ送信する処理が含まれる。
【００２５】
また、制御部１２２は、算出した予測時刻（無線装置１１０からの次の所定単位の信号の受信が完了する予測時刻）より早い時刻に、信号を復号する処理（無線信号処理）を開始してもよい。ただし、予測時刻より早い時刻は、たとえば、無線装置１１０からの次の所定単位の信号の受信を開始する時刻以降の時刻である。
【００２６】
この場合に、通信部１２１は、無線装置１１０から伝送路１０１を介して受信した信号を、上述の所定量より少ない単位で区切って制御部１２２へ出力する。すなわち、通信部１２１は、無線装置１１０から伝送路１０１を介して受信した信号を、受信した信号が所定単位に達する前に制御部１２２へ出力する。これにより、制御部１２２が予測時刻より早い時刻に無線信号処理を開始することが可能になる。
【００２７】
このように、無線制御装置１２０は、記憶した複数の時刻に基づいて無線装置１１０から信号を所定量受信する時刻を算出し、算出した予測時刻より早い時刻に、信号を復号する処理を開始してもよい。これにより、基地局１００の受信信号に対する無線信号処理に使用可能な時間を長くすることができる。
【００２８】
（実施の形態にかかる無線装置および無線制御装置）
図２は、実施の形態にかかる無線装置および無線制御装置の一例を示す図である。図２において、図１に示した部分と同様の部分については同一の符号を付して説明を省略する。図２に示すように、無線装置１１０は、無線ユニット２１１と、送受ユニット２１２と、を備える。図１に示した無線部１１１は、たとえば無線ユニット２１１によって実現することができる。図１に示した通信部１１２は、たとえば送受ユニット２１２によって実現することができる。
【００２９】
無線ユニット２１１は、端末１３０などの他の通信装置から無線送信された信号に対する受信処理を行う。無線ユニット２１１による受信処理には、たとえば、アンテナによる受信、アンプによる増幅、ミキサによる周波数変換、ＡＤＣによるアナログ信号からデジタル信号への変換などが含まれる。ＡＤＣはＡｎａｌｏｇ／Ｄｉｇｉｔａｌ  Ｃｏｎｖｅｒｔｅｒ（アナログ／デジタル変換器）の略である。無線ユニット２１１は、受信処理により得られたデータ（たとえばアップリンクデータ）を送受ユニット２１２へ出力する。
【００３０】
また、無線ユニット２１１は、送受ユニット２１２から出力されたデータ（たとえばダウンリンクデータ）に対する送信処理を行う。送信処理には、たとえば、ＤＡＣによるデジタル信号からアナログ信号への変換、ミキサによる周波数変換、アンプによる増幅、アンテナによる無線送信などが含まれる。ＤＡＣはＤｉｇｉｔａｌ／Ａｎａｌｏｇ  Ｃｏｎｖｅｒｔｅｒ（デジタル／アナログ変換器）の略である。無線ユニット２１１は、送信処理により得られた信号を、端末１３０などの他の通信装置へ無線送信する。
【００３１】
送受ユニット２１２は、無線ユニット２１１から出力されたデータの伝送路１０１の伝送方式への乗り換えを行い、乗り換えを行ったデータを伝送路１０１により無線制御装置１２０へ送信する。また、送受ユニット２１２は、無線制御装置１２０から伝送路１０１を介して送信されたデータを受信する。そして、送受ユニット２１２は、受信したデータを無線ユニット２１１へ出力する。
【００３２】
無線制御装置１２０は、送受ユニット２２１と、無線信号処理部２２２と、同期信号生成部２２３と、同期信号補正部２２４と、処理時間情報記憶部２２５と、オフセット決定部２２６と、受信単位設定部２２７と、を備える。図１に示した通信部１２１は、たとえば送受ユニット２２１によって実現することができる。図１に示した制御部１２２は、たとえば無線信号処理部２２２、同期信号生成部２２３、同期信号補正部２２４、処理時間情報記憶部２２５、オフセット決定部２２６および受信単位設定部２２７によって実現することができる。
【００３３】
送受ユニット２２１は、無線信号処理部２２２から出力されたデータの伝送路１０１の伝送方式への乗り換えを行い、乗り換えを行ったデータを伝送路１０１により無線装置１１０へ送信する。また、送受ユニット２２１は、無線装置１１０から伝送路１０１を介して送信されたデータを受信する。そして、送受ユニット２２１は、受信したデータを無線信号処理部２２２および同期信号生成部２２３へ出力する。
【００３４】
また、送受ユニット２２１は、無線信号処理部２２２へ出力するデータを、受信単位設定部２２７によって設定された受信単位のデータサイズで区切ってもよい。すなわち、送受ユニット２２１は、受信単位設定部２２７によって設定された受信単位のデータを受信する毎に受信したデータを無線信号処理部２２２へ出力してもよい。
【００３５】
無線信号処理部２２２は、同期信号補正部２２４から出力される同期信号を契機として、無線装置１１０へ送信するためのデータを生成して送受ユニット２２１へ出力する送信側の無線信号処理を行う。また、無線信号処理部２２２は、同期信号補正部２２４から出力される同期信号を契機として、送受ユニット２２１から出力されたデータを復号する受信側の無線信号処理を行う。または、無線信号処理部２２２は、同期信号補正部２２４から後述のオフセット同期信号が出力される場合は、同期信号補正部２２４から出力されるオフセット同期信号を契機として受信側の無線信号処理を行ってもよい。
【００３６】
同期信号生成部２２３は、送受ユニット２２１から出力された信号に基づいて仮の同期信号を生成し、生成した同期信号を同期信号補正部２２４へ出力する。たとえば、同期信号生成部２２３は、送受ユニット２２１から出力された信号（データ）のサンプル数を計数する。信号のサンプル数は、送受ユニット２２１によって信号をアナログ信号からデジタル信号に変換する際にサンプリングされた値（シンボル）の数である。
【００３７】
そして、同期信号生成部２２３は、計数結果が所定数に達する毎にパルス信号を同期信号補正部２２４へ出力して計数結果をリセットする。これにより、同期信号補正部２２４へ仮の同期信号を出力することができる。所定数は、たとえば１サブフレーム分（１ミリ秒分）のサンプル数である。
【００３８】
同期信号補正部２２４は、同期信号生成部２２３からパルス信号が出力された各時刻を、仮の同期信号の生成時刻として記憶する。同期信号補正部２２４が記憶する時刻は、たとえば無線制御装置１２０を実現するコンピュータ（たとえば汎用サーバ）におけるＣＰＵタイマ等の基準時計に基づく内部時刻である。ＣＰＵはＣｅｎｔｒａｌ  Ｐｒｏｃｅｓｓｉｎｇ  Ｕｎｉｔ（中央処理装置）の略である。また、同期信号補正部２２４は、たとえば定期的な更新タイミングにおいて、現在までに記憶した生成時刻を所定数だけ過去に遡って取得する。すなわち、同期信号補正部２２４は、最新の所定数の生成時刻を取得する。所定数は、２以上の自然数であり、一例としては１００個である。
【００３９】
そして、同期信号補正部２２４は、取得した所定数の生成時刻から、同期信号生成部２２３による将来の同期信号の生成時刻を予測する。この予測には、たとえば線形予測を用いることができる。同期信号補正部２２４が予測する将来の同期信号の生成時刻は、直後の１個の同期信号の生成時刻であってもよいし、直後の複数個の同期信号の生成時刻であってもよい。一例としては、同期信号補正部２２４は、最新の１００個の生成時刻に基づいて将来の１０個の生成時刻を予測する。
【００４０】
そして、同期信号補正部２２４は、予測した同期信号の生成時刻においてパルス信号を無線信号処理部２２２へ出力する。これにより、同期信号生成部２２３から出力された仮の同期信号を補正した同期信号を無線信号処理部２２２へ出力することができる。
【００４１】
このように、無線制御装置１２０は、まず同期信号生成部２２３において生成した同期信号の時刻を基準時計で計測し、その計測結果を記憶しておく。そして、無線制御装置１２０は、所定の個数の記憶結果が得られたところで、そのデータから線形予測を行うことによって将来の同期時刻を推定し、推定した同期時刻に同期信号を発生させることにより無線信号処理を開始する。
【００４２】
これにより、無線装置１１０から無線制御装置１２０への伝送路１０１による信号の伝送のタイミングが揺らいでも、揺らぎを抑えた信号のタイミングを算出して無線信号処理部２２２における無線信号処理を行うことができる。このため、無線信号処理部２２２における無線信号処理に使用可能な時間を長くすることができる。
【００４３】
さらに、同期信号補正部２２４は、オフセット決定部２２６から通知された処理開始時刻のオフセットに基づいて、予測した同期信号の生成時刻をオフセット分だけ早めた時刻においてパルス信号を無線信号処理部２２２へ出力してもよい。これにより、同期信号生成部２２３から出力された仮の同期信号を補正してさらにオフセット分だけ早めたオフセット同期信号を無線信号処理部２２２へ出力することができる。
【００４４】
処理時間情報記憶部２２５は、たとえば無線信号処理部２２２における受信側の無線信号処理に含まれるＦＦＴの処理時間（たとえば後述のｔ＿ＦＦＴ＿ｓｙｍｂｏｌ）を示す処理時間情報を記憶する。ＦＦＴはＦａｓｔ  Ｆｏｕｒｉｅｒ  Ｔｒａｎｓｆｏｒｍ（高速フーリエ変換）の略である。
【００４５】
オフセット決定部２２６は、処理時間情報記憶部２２５に記憶された処理時間情報に基づいて、無線信号処理部２２２において受信処理を開始する時刻のオフセットを決定する。オフセット決定部２２６によるオフセットの決定方法については後述する。オフセット決定部２２６は、決定したオフセットを同期信号補正部２２４へ通知する。
【００４６】
また、オフセット決定部２２６は、処理時間情報記憶部２２５に記憶された処理時間情報に基づく情報（たとえば後述のパラメータｎ）を決定する。そして、オフセット決定部２２６は、決定した情報を受信単位設定部２２７へ通知する。
【００４７】
受信単位設定部２２７は、オフセット決定部２２６から通知された情報（たとえば後述のパラメータｎ）に基づいて、送受ユニット２２１におけるデータの受信単位を設定する。送受ユニット２２１におけるデータの受信単位は、たとえば送受ユニット２２１が無線信号処理部２２２へデータを出力する単位である。受信単位設定部２２７による受信単位の設定については後述する。
【００４８】
このように、無線制御装置１２０は、生成した同期信号の時刻をシフトして信号処理の契機やデータ受信の単位を変更してもよい。これにより、送受ユニット２２１による所定単位（たとえば１サブフレーム）のデータの受信が完了する前に無線信号処理部２２２における受信側の無線信号処理を開始することが可能になる。このため、無線信号処理部２２２における無線信号処理に使用できる時間を長くすることができる。
【００４９】
（実施の形態にかかる無線制御装置における無線信号処理の時間）
図３は、実施の形態にかかる無線制御装置における無線信号処理の時間の一例を示す図である。図３において、横方向は時間を示す。サブフレーム３１０（ｓｕｂ  ｆｒａｍｅ）は、無線制御装置１２０が無線装置１１０を制御することにより行う無線通信におけるサブフレーム（たとえば１ミリ秒）である。図３の例では、サブフレーム３１０として、連続する５個のサブフレーム（ｎ＋１）〜（ｎ＋５）を示している。
【００５０】
無線信号３２０（Ａｉｒ）は、無線制御装置１２０が無線装置１１０を制御することにより送受信する無線信号である。図３に示す例では、サブフレーム（ｎ＋１）において、無線装置１１０が端末１３０から無線送信された信号３２１（Ｒｘ）を受信する。また、サブフレーム（ｎ＋１）の４サブフレーム後のサブフレーム（ｎ＋５）において、無線装置１１０が、端末１３０への信号３２２（Ｔｘ）を送信する。信号３２２には、たとえば信号３２１に対する応答信号（ＡＣＫ／ＮＡＣＫ）が含まれる。
【００５１】
同期信号生成３３０は、同期信号生成部２２３による同期信号の生成を示す。無線装置１１０は、受信した信号３２１から得たデータを伝送路１０１により無線制御装置１２０へ送信する。遅延時間３３１は、無線装置１１０による信号処理と、伝送路１０１を介した無線装置１１０から無線制御装置１２０へのデータの伝送と、に要する時間である。
【００５２】
送受ユニット受信処理３３２は、送受ユニット２２１が無線制御装置１２０から送信されたデータを受信して無線信号処理部２２２および同期信号生成部２２３へ出力する受信処理である。送受ユニット受信処理３３２の開始タイミングは、サブフレーム（ｎ＋１）の開始から遅延時間３３１だけ遅れたタイミングになる。
【００５３】
送受ユニット受信処理３３２の終了時刻は、たとえばソフトウェアによって実現される無線信号処理部２２２におけるタスク処理等の揺らぎによりばらつく（ｖａｒｉａｎｃｅ）。最小遅延３３３は、送受ユニット受信処理３３２の終了時刻の遅延ばらつきの最小値である。最大遅延３３４は、送受ユニット受信処理３３２の終了時刻の遅延ばらつきの最大値である。
【００５４】
同期信号３３５は、無線信号処理部２２２から出力されたデータに基づいて同期信号生成部２２３が生成する同期信号（パルス信号）である。同期信号３３５は、送受ユニット受信処理３３２の終了時刻のばらつきによってばらつく。使用可能処理時間３３６（ａｖａｉｌａｂｌｅ  ｐｒｏｃｅｓｓｉｎｇ  ｔｉｍｅ）は、同期信号補正部２２４による同期信号の補正を行わないと仮定した場合に無線信号処理部２２２の無線信号処理に使用可能な時間である。
【００５５】
たとえば、送受ユニット２１２，２２１の間で行われるデータの送受信は、無線フレーム（サブフレーム３１０）のタイミングとは同期しておらず、遅延も変動するため、同期信号を行わない場合は同期信号３３５の揺らぎが発生する。その結果、無線信号処理部２２２の無線信号処理に使用できる時間（使用可能処理時間３３６）が少なくなる。
【００５６】
たとえば、送受ユニット受信処理３３２の終了時刻のばらつきに対応するには、使用可能処理時間３３６の開始時刻は、送受ユニット受信処理３３２の終了時刻の遅延が最大遅延３３４となる場合の送受ユニット受信処理３３２の終了時刻にすることを要する。使用可能処理時間３３６の終了時刻は、サブフレーム（ｎ＋５）における信号３２２の送信に間に合うように、サブフレーム（ｎ＋５）の開始時刻から所定のマージン３３７だけ早めたタイミングになる。マージン３３７は、伝送路１０１を介した無線制御装置１２０から無線装置１１０へのデータの伝送や無線装置１１０における送信処理に要する時間を考慮したマージンである。
【００５７】
これに対して、実施の形態にかかる無線制御装置１２０は、生成した同期信号３３５を補正することにより、無線信号処理部２２２の無線信号処理に使用できる時間を長くする。たとえば、同期信号補正部２２４は、同期信号生成部２２３によって生成された同期信号に対して図３に示す第１同期信号補正３４０を行う。または、同期信号補正部２２４は、第１同期信号補正３４０に加えて第２同期信号補正３５０を行ってもよい。
【００５８】
第１同期信号補正３４０は、同期信号補正部２２４による、同期信号の生成時刻の予測に基づく同期信号の補正である。予測時刻３４１は、過去に同期信号生成部２２３から出力された同期信号に基づいて同期信号補正部２２４が線形予測により算出した、同期信号生成部２２３から同期信号３３５が出力される時刻である。予測時刻３４１は、同期信号３３５の揺らぎを平均化したものであるため、同期信号３３５の揺らぎの振れ幅の中央付近のタイミングになる。
【００５９】
同期信号補正部２２４は、たとえば第１同期信号補正３４０を行い、第２同期信号補正３５０を行わない場合は、予測時刻３４１において同期信号３４２を出力する。これにより、揺らぎのない同期信号３４２を無線信号処理部２２２へ出力することができる。
【００６０】
たとえば、同期信号補正部２２４は、線形予測により一次式ｙ＝ａｘ＋ｂの係数ａ，ｂの算出を行う。ｙは同期信号の生成時刻である。ａは１サブフレームの時間（たとえば１ミリ秒）である。ｘはサブフレーム番号である。ｂは予測を開始した時刻で決まるオフセットである。
【００６１】
たとえば、同期信号補正部２２４は、ＭＭＳＥ（Ｍｉｎｉｍｕｍ  Ｍｅａｎ  Ｓｑｕａｒｅ  Ｅｒｒｏｒ：最小二乗誤差法）に基づく下記（１）式によって係数ａ，ｂを算出する。下記（１）式のｎは、同期信号の生成時刻の予測に用いる同期信号の生成時刻のサンプル数である。すなわち、同期信号補正部２２４は、最新のｎ個の同期信号の生成時刻および下記（１）式によって係数ａ，ｂを算出する。下記（１）式のｘｉは、ｎ個の同期信号のうちのｉ番目の同期信号のサブフレーム番号である。下記（１）式のｙｉは、ｎ個の同期信号のうちのｉ番目の同期信号の生成時刻である。
【００６２】
【数１】
2018067761.tif 000003
【００６３】
同期信号補正部２２４は、算出した係数ａ，ｂを適用した一次式ｙ＝ａｘ＋ｂによって予測時刻３４１を算出し、算出した予測時刻３４１において同期信号３４２を出力する。また、同期信号補正部２２４は、たとえば定期的に、最新の同期信号の各生成時刻に基づいて係数ａ，ｂを算出し直して一次式ｙ＝ａｘ＋ｂのｂを更新してもよい。これにより、同期信号３４２を出力するタイミングが更新される。または、同期信号補正部２２４は、係数ａについては１サブフレームの規定時間（たとえば１ミリ秒）で固定値とし、係数ｂを算出して更新してもよい。
【００６４】
使用可能処理時間３４３（ａｖａｉｌａｂｌｅ  ｐｒｏｃｅｓｓｉｎｇ  ｔｉｍｅ）は、同期信号補正部２２４が第１同期信号補正３４０を行い、第２同期信号補正３５０を行わない場合に無線信号処理部２２２が無線信号処理に使用可能な時間である。この場合に、無線信号処理部２２２は、同期信号３４２を契機に無線信号処理を開始する。したがって、使用可能処理時間３４３の開始時刻は同期信号３４２のタイミングになる。使用可能処理時間３４３の終了時刻は、使用可能処理時間３３６の終了時刻と同様である。
【００６５】
このように、同期信号補正部２２４は、同期信号生成部２２３によって過去に生成された同期信号に基づいて同期信号補正部２２４が揺らぎのない同期信号３４２を生成することで、無線信号処理部２２２の無線信号処理に使用可能な時間を長くすることができる。
【００６６】
第２同期信号補正３５０は、同期信号補正部２２４による、オフセット決定部２２６が決定したオフセットに基づく同期信号の補正である。同期信号補正部２２４は、オフセット決定部２２６から通知されたオフセットに基づいて算出したオフセット３５１（ａｄｖａｎｃｅ）だけ予測時刻３４１を早めた補正時刻３５２を算出する。そして、同期信号補正部２２４は、補正時刻３５２においてオフセット同期信号３５３を出力する。これにより、揺らぎのない同期信号３４２をオフセット３５１だけ早めたオフセット同期信号３５３を無線信号処理部２２２へ出力することができる。
【００６７】
また、受信単位設定部２２７は、オフセット決定部２２６が決定した情報に基づいて、送受ユニット２２１における受信処理の単位を設定する。図３に示す例では、受信単位設定部２２７は、１サブフレーム分に相当する送受ユニット受信処理３３２が送受ユニット受信処理３５４〜３５６に分割されるように送受ユニット２２１における受信処理の単位を設定する。送受ユニット２２１は、受信単位設定部２２７によって設定された受信単位によって、無線信号処理部２２２へ出力するデータのバッファリングを制御する。
【００６８】
たとえば、送受ユニット２２１は、送受ユニット受信処理３５４が終了すると、送受ユニット受信処理３５４により得られたデータを無線信号処理部２２２へ出力して送受ユニット受信処理３５５を開始する。また、送受ユニット２２１は、送受ユニット受信処理３５５が終了すると、送受ユニット受信処理３５５により得られたデータを無線信号処理部２２２へ出力して送受ユニット受信処理３５６を開始する。また、送受ユニット２２１は、送受ユニット受信処理３５６が終了すると、送受ユニット受信処理３５６により得られたデータを無線信号処理部２２２へ出力する。
【００６９】
使用可能処理時間３５７（ａｖａｉｌａｂｌｅ  ｐｒｏｃｅｓｓｉｎｇ  ｔｉｍｅ）は、同期信号補正部２２４が第１同期信号補正３４０および第２同期信号補正３５０を行う場合における無線信号処理部２２２の無線信号処理に使用可能な時間である。すなわち、同期信号補正部２２４が第１同期信号補正３４０および第２同期信号補正３５０を行う場合は、無線信号処理部２２２は、オフセット同期信号３５３を契機に無線信号処理を開始する。したがって、使用可能処理時間３５７の開始時刻はオフセット同期信号３５３のタイミングになる。使用可能処理時間３５７の終了時刻は、使用可能処理時間３３６の終了時刻と同様である。
【００７０】
また、使用可能処理時間３５７の開始時刻は、無線信号処理部２２２が送受ユニット受信処理３５５を行っている時刻である。すなわち、無線信号処理部２２２は、送受ユニット２２１が１サブフレーム分の受信処理が完了する前に無線信号処理を開始できる。
【００７１】
このように、第２同期信号補正３５０においては、無線信号処理部２２２の無線信号処理で受信データが必要になる時間と実際にデータが無線信号処理部２２２に到着する時間との差分を利用して長い使用可能処理時間３５７を実現することができる。このとき、受信単位設定部２２７は、無線信号処理が必要とするデータが既に受信されているように送受ユニット２２１の受信単位の制御を行う。
【００７２】
（実施の形態にかかる無線信号処理部）
図４は、実施の形態にかかる無線信号処理部の一例を示す図である。図２に示した無線信号処理部２２２の各処理部のうち受信側の無線信号処理の処理部について説明する。図４に示す例では、ＬＴＥにおいて基地局１００が端末１３０からアップリンク信号が受信する場合について説明する。また、図４に示す例では、ＨＡＲＱ（Ｈｙｂｒｉｄ  Ａｕｔｏｍａｔｉｃ  Ｒｅｐｅａｔ  ｒｅＱｕｅｓｔ：ハイブリッド自動再送要求）による再送制御が行われる場合について説明する。ＨＡＲＱにおいては、送信された信号に対して４サブフレームで応答信号（ＡＣＫ／ＮＡＣＫ）を返送することが求められる。
【００７３】
無線信号処理部２２２は、受信側の無線信号処理の処理部として、たとえば、図４に示すように、制御部４０１と、ＦＦＴ部４０２（ＦＦＴ）と、チャネル推定部４０３（Ｃｈａｎｎｅｌ  Ｅｓｔｉｍａｔｉｏｎ）と、を備える。また、無線信号処理部２２２は、無線信号処理の処理部として、たとえば、等化部４０４（Ｅｑｕａｌｉｚａｔｉｏｎ）と、ＩＤＦＴ部４０５（ＩＤＦＴ）と、デマッピング部４０６（Ｄｅ−ｍａｐ）と、復号部４０７（Ｄｅｃｏｄｉｎｇ）と、を備える。ＩＤＦＴはＩｎｖｅｒｓｅ  Ｄｉｓｃｒｅｔｅ  Ｆｏｕｒｉｅｒ  Ｔｒａｎｓｆｏｒｍ（逆離散フーリエ変換）の略である。
【００７４】
たとえば同期信号補正部２２４が、上述した第１同期信号補正３４０を行い、上述した第２同期信号補正３５０を行わない場合は、制御部４０１には同期信号補正部２２４から同期信号が入力される。この場合に、制御部４０１は、入力された同期信号のタイミングを契機としてＦＦＴ部４０２におけるＦＦＴを開始させる制御を行う。
【００７５】
また、同期信号補正部２２４が上述した第１同期信号補正３４０および第２同期信号補正３５０を行う場合は、制御部４０１には同期信号補正部２２４からオフセット同期信号が入力される。この場合に、制御部４０１は、入力されたオフセット同期信号のタイミングを契機としてＦＦＴ部４０２におけるＦＦＴを開始させる制御を行う。
【００７６】
ＦＦＴ部４０２には、送受ユニット２２１から出力された受信信号（データ）が入力される。たとえばＬＴＥのサブフレームは、Ｎｏｒｍａｌ  ＣＰ（Ｃｙｃｌｉｃ  Ｐｒｅｆｉｘ：巡回プレフィクス）を用いる場合は１４個のシンボルから構成される。また、端末１３０から基地局１００へ送信されるアップリンク信号には、４番目のシンボルと１１番目のシンボルに復調用のリファレンス信号（ＲＳ：Ｒｅｆｅｒｅｎｃｅ  Ｓｉｇｎａｌ）が格納されている。
【００７７】
ＦＦＴ部４０２は、制御部４０１からの制御に従って、入力された受信信号に対するＦＦＴを行う。たとえば、ＦＦＴ部４０２は、入力された１サブフレーム分の受信信号のうちの１４個のシンボル（Ｓｙｍｂ．＃０−＃１３）に対するＦＦＴを行う。これにより、送受ユニット２２１から出力された受信信号が時間領域から周波数領域の信号に変換される。ＦＦＴは、たとえばシンボル単位で実行可能である。ＦＦＴ部４０２は、ＦＦＴを行った受信信号をチャネル推定部４０３および等化部４０４へ出力する。
【００７８】
チャネル推定部４０３は、ＦＦＴ部４０２から出力された受信信号に基づくチャネル推定（伝搬路推定）を行う。チャネル推定は、たとえば伝搬路のインパルス応答の推定である。たとえば、チャネル推定部４０３は、ＦＦＴ部４０２から出力された受信信号のうちの４番目のシンボルと１１番目のシンボル（Ｓｙｍｂ．＃３，＃１０）に格納されたリファレンス信号に基づいてチャネル推定を行う。
【００７９】
したがって、チャネル推定部４０３がチャネル推定を実行するには、ＦＦＴ部４０２によって１１番目のシンボルまでＦＦＴが行われることを要する。チャネル推定部４０３は、チャネル推定の結果を等化部４０４へ出力する。
【００８０】
等化部４０４は、チャネル推定部４０３から出力されたチャネル推定の結果に基づいて、ＦＦＴ部４０２から出力された受信信号の等化処理（たとえば適応等化処理）を行う。等化部４０４が行う等化処理は、たとえば等化処理を適応的に行う適応等化処理である。たとえば、等化部４０４は、ＦＦＴ部４０２から出力された受信信号のうちの４番目のシンボルと１１番目のシンボルを除くシンボル（Ｓｙｍｂ．＃０−＃２，＃４−＃９，＃１１−＃１３）の等化処理を行う。等化部４０４は、等化処理を行ったシンボルをＩＤＦＴ部４０５へ出力する。
【００８１】
また、上述のようにチャネル推定部４０３がチャネル推定を実行するにはＦＦＴ部４０２によって１１番目のシンボルまでＦＦＴが行われることを要する。したがって、ＦＦＴ部４０２によって１１番目のシンボルまでＦＦＴが行われるまでは、チャネル推定部４０３からチャネル推定の結果が等化部４０４へ出力されず、等化部４０４による等化処理は行われない。
【００８２】
ＩＤＦＴ部４０５は、等化部４０４から出力された受信信号に対するＩＤＦＴを行う。たとえば、ＩＤＦＴ部４０５は、等化部４０４から出力されたシンボル（Ｓｙｍｂ．＃０−＃２，＃４−＃９，＃１１−＃１３）に対するＩＤＦＴを行う。そして、ＩＤＦＴ部４０５は、ＩＤＦＴを行ったシンボルをデマッピング部４０６へ出力する。デマッピング部４０６は、ＩＤＦＴ部４０５から出力されたシンボルのデマッピングを行う。そして、デマッピング部４０６は、デマッピングを行ったシンボルを復号部４０７へ出力する。
【００８３】
ＦＦＴ部４０２からデマッピング部４０６までの処理は、シンボル単位で実行することが可能であり、１サブフレーム分の全てのデータ（シンボル）の到着を待たずに実行される。ただし、チャネル推定部４０３によるチャネル推定は１１番目のシンボルを待って行われる。そして、等化部４０４における等化処理は、そのチャネル推定部４０３によるチャネル推定の結果を待って行われる。
【００８４】
復号部４０７は、デマッピング部４０６から出力されたシンボルの復号を行い、復号により得られたデータ（復号結果）を出力する。復号部４０７における復号は、たとえばサブフレーム単位で行われる。すなわち、復号部４０７は、１サブフレーム分のシンボルがデマッピング部４０６から出力されるのを待ってから復号を行う。復号部４０７から出力されたデータは、たとえば基地局１００における上位の処理部によって処理される。
【００８５】
また、復号部４０７による復号には誤り検出が含まれる。無線制御装置１２０は、復号部４０７による誤り検出の結果を示す応答信号（ＡＣＫ／ＮＡＣＫ）を生成して無線装置１１０へ出力する。たとえば、図３に示した信号３２１に対する復号部４０７による誤り検出の結果を示す応答信号（ＡＣＫ／ＮＡＣＫ）が、図３に示した端末１３０への信号３２２に格納される。
【００８６】
（実施の形態にかかる無線制御装置における第２同期信号補正）
図５は、実施の形態にかかる無線制御装置における第２同期信号補正の一例を示す図である。図５において、図３に示した部分と同様の部分については同一の符号を付して説明を省略する。図５に示す第２同期信号補正３５０におけるサブフレーム５１０は、送受ユニット２２１が無線装置１１０から受信したデータのサブフレームである。
【００８７】
また、図５に示す例では、サブフレーム５１０は、送受ユニット受信処理３３２の終了時刻の遅延が最大遅延３３４となる場合に送受ユニット２２１が受信したサブフレームである。サブフレーム５１０には０〜１３の１４個のシンボルが含まれている。また、サブフレーム５１０の４番目と１１番目のシンボルにはリファレンス信号が含まれている。
【００８８】
たとえば、受信単位設定部２２７は、送受ユニット２２１に対して、１サブフレーム分のデータを、それぞれ７シンボル、４シンボルおよび３シンボルの３つのデータに分けて受信して無線信号処理部２２２へ出力するように設定する。この場合に、送受ユニット２２１は、７シンボルのデータに対する送受ユニット受信処理３５４、４シンボルのデータに対する送受ユニット受信処理３５５、および３シンボルのデータに対する送受ユニット受信処理３５６を行う。
【００８９】
無線信号処理５２１〜５２６は、無線信号処理部２２２による無線信号処理である。無線信号処理５２１は、補正時刻３５２において開始される処理である。無線信号処理５２１〜５２４は、たとえば無線信号処理部２２２によるレイヤ１の受信処理である。
【００９０】
無線信号処理５２１には、送受ユニット受信処理３５４によって得られたサブフレームの１〜７番目のシンボルに対するＦＦＴ部４０２によるＦＦＴ（ＦＦＴ（０−６））が含まれる。
【００９１】
無線信号処理５２２は、無線信号処理５２１の直後に行われる処理である。無線信号処理５２２には、送受ユニット受信処理３５５によって得られたサブフレームの８〜１１番目のシンボルに対するＦＦＴ部４０２によるＦＦＴ（ＦＦＴ（７−１０））が含まれる。また、無線信号処理５２２には、送受ユニット受信処理３５４，３５５によって得られたサブフレームの４番目と１１番目のシンボルに基づくチャネル推定部４０３によるチャネル推定（Ｃｈ  Ｅｓｔ）と、が含まれる。
【００９２】
無線信号処理５２３は、無線信号処理５２２の直後に行われる処理である。無線信号処理５２３には、送受ユニット受信処理３５６によって得られたサブフレームの１２〜１４番目のシンボルに対するＦＦＴ部４０２によるＦＦＴ（ＦＦＴ（１１−１３））が含まれる。また、無線信号処理５２３には、無線信号処理５２１〜５２３によってＦＦＴを行った１４個のシンボルのうちリファレンス信号を除く１２個のシンボルに対する等化部４０４による等化処理（ＥＱＬ）が含まれる。この等化処理は、無線信号処理５２２のチャネル推定の結果に基づいて行われる。
【００９３】
無線信号処理５２４は、無線信号処理５２３の直後に行われる処理である。無線信号処理５２４には、たとえば無線信号処理５２３によって等化処理した各シンボルに対する復号部４０７によるターボ復号（Ｔｕｒｂｏ  Ｄｅｃ）が含まれる。また、無線信号処理５２４には、上述のＩＤＦＴ部４０５によるＩＤＦＴやデマッピング部４０６によるデマッピングが含まれてもよい。
【００９４】
無線信号処理５２５（Ｌ２／Ｌ３）は、無線信号処理５２４の直後に行われる処理である。無線信号処理５２５には、無線信号処理５２４によって得られたデータに基づくレイヤ２やレイヤ３の受信処理が含まれる。また、無線信号処理５２５には、基地局１００から端末１３０へ送信する信号に対するレイヤ３やレイヤ２の送信処理が含まれる。基地局１００から端末１３０へ送信する信号には、たとえば無線信号処理５２４によって得られたデータに対する応答信号（ＡＣＫ／ＮＡＣＫ）が含まれる。
【００９５】
無線信号処理５２６（ＤＬ処理）は、無線信号処理５２５の直後に行われる処理である。無線信号処理５２６には、無線信号処理５２５によって得られたダウンリンクのデータのレイヤ１の無線信号処理部２２２による送信処理が含まれる。レイヤ１の送信処理には、たとえば、符号化、マッピング、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）などの処理が含まれる。無線信号処理部２２２は、無線信号処理５２６により得られたデータを送受ユニット２２１へ出力する。
【００９６】
図５に示したように、第１同期信号補正３４０により同期信号生成部２２３で生成された同期信号の揺らぎを抑制し、さらに第２同期信号補正３５０を行うことで、線形予測のオフセット時間分、無線信号処理の開始時間を早めることができる。
【００９７】
たとえば、図５に示す例におけるオフセット３５１に基づく補正時刻３５２においては、無線信号処理５２１の開始時に７番目のシンボルまでの送受ユニット２２１による受信処理が完了している。このため、補正時刻３５２においてはＦＦＴの１番目から７番目までシンボルに対するＦＦＴが実行可能になっている。
【００９８】
そして、この１番目から７番目のシンボルに対するＦＦＴが実行された時点で、さらに８番目から１１番目のシンボルまでの送受ユニット２２１による受信処理が完了している。この後の無線信号処理５２３において、無線信号処理部２２２は、９番目から１１番目のシンボルまでのＦＦＴを行い、その後にチャネル推定を実行する。無線信号処理５２３が完了する時刻には、１サブフレームのデータの受信が既に完了しているため、その後の処理は特に受信状況を考慮しなくても継続することができる。
【００９９】
（実施の形態にかかる無線制御装置における無線信号処理の開始時間の設定）
図６は、実施の形態にかかる無線制御装置における無線信号処理の開始時間の設定の一例を示す図である。図６において、図５に示した部分と同様の部分については同一の符号を付して説明を省略する。
【０１００】
無線信号処理６１０は、送受ユニット２２１がサブフレーム５１０の全てを受信後にデータを無線信号処理部２２２へ出力すると仮定した場合における無線信号処理部２２２による無線信号処理である。この場合は、無線信号処理６１０はサブフレーム５１０の受信完了まで開始することができず、無線信号処理６１０に使用可能な時間は短くなる。
【０１０１】
図６に示す第１受信単位６２１、第２受信単位６２２および第３受信単位６２３は、受信単位設定部２２７が送受ユニット２２１に設定する受信単位の一例である。無線ユニット２１１は、受信単位設定部２２７によって設定された受信単位によって、無線信号処理部２２２へ出力するデータのバッファ制御を行う。
【０１０２】
図６に示す例では、第１受信単位６２１は８シンボルであり、第２受信単位６２２は３シンボルであり、第３受信単位６２３は３シンボルである。この場合に、送受ユニット２２１は、サブフレーム５１０のうちの第１受信単位６２１に相当する１〜８番目のシンボルを受信した時点で１〜８番目のシンボルを無線信号処理部２２２へ出力する。
【０１０３】
つぎに、送受ユニット２２１は、サブフレーム５１０のうちの第２受信単位６２２に相当する９〜１１番目のシンボルを受信した時点で９〜１１番目のシンボルを無線信号処理部２２２へ出力する。つぎに、送受ユニット２２１は、サブフレーム５１０のうちの第３受信単位６２３に相当する１２〜１４番目のシンボルを受信した時点で１２〜１４番目のシンボルを無線信号処理部２２２へ出力する。
【０１０４】
無線信号処理６３１〜６３５は、無線信号処理部２２２による受信側の無線信号処理である。無線信号処理６３１は、第１受信単位６２１のデータ（１〜８番目のシンボル）が送受ユニット２２１から出力されてから開始される処理である。無線信号処理６３１には、サブフレーム５１０のうちの１〜８番目のシンボルに対するＦＦＴ部４０２によるＦＦＴ（８  ＦＦＴ）が含まれる。
【０１０５】
無線信号処理６３２は、無線信号処理６３１の直後に行われる処理である。無線信号処理６３２には、サブフレーム５１０の９〜１１番目のシンボルに対するＦＦＴ部４０２によるＦＦＴ（３  ＦＦＴ）が含まれる。また、無線信号処理６３２には、サブフレーム５１０のうちの４番目と１１番目のシンボルに格納されたリファレンス信号に基づくチャネル推定（ＴＣｈ．Ｅｓｔ）が含まれる。
【０１０６】
無線信号処理６３３は、無線信号処理６３２の直後に行われる処理である。無線信号処理６３３には、サブフレーム５１０の１〜７番目のシンボルのうち４番目のリファレンス信号を除く６シンボルに対する、無線信号処理６３２に含まれるチャネル推定の結果に基づく等化部４０４による等化処理（ＴＥＱＬ×６）が含まれる。
【０１０７】
無線信号処理６３４は、無線信号処理６３３の直後に行われる処理である。無線信号処理６３４には、サブフレーム５１０の８〜１４番目のシンボルのうち１１番目のリファレンス信号を除く６シンボルに対する、無線信号処理６３２に含まれるチャネル推定の結果に基づく等化部４０４による等化処理（ＴＥＱＬ×６）が含まれる。
【０１０８】
無線信号処理６３５は、無線信号処理６３４の直後に行われる処理である。無線信号処理６３５には、サブフレーム５１０の４番目と１１番目を除く１２シンボルに対するＩＤＦＴ部４０５によるＩＤＦＴが含まれる。
【０１０９】
上述のように、無線信号処理部２２２のチャネル推定は１１番目のシンボルが受信されるまでは開始できず、無線信号処理部２２２の等化処理以降の処理はそのチャネル推定が完了するまで開始できない。また、無線信号処理部２２２のＦＦＴは、チャネル推定の前段で行われる処理であるため、各シンボルを受信する毎に行うことができる。
【０１１０】
したがって、たとえば２番目のリファレンス信号（１１番目のシンボル）を受信した時点で受信単位の分割を行う。すなわち、２番目のリファレンス信号の受信までに実行可能なＦＦＴの処理を、可能な限り２番目のリファレンス信号の受信までに完了していると、その後の処理を早く終えることができる。
【０１１１】
たとえば、１シンボル分のＦＦＴにかかる時間をｔ＿ＦＦＴ＿ｓｙｍｂｏｌとし、１シンボルの時間（約７０［μｓ］）をｔ＿ｓｙｍｂｏｌとする。この場合に、たとえばｎ＊（ｔ＿ｓｙｍｂｏｌ＋ｔ＿ＦＦＴ＿ｓｙｍｂｏｌ）＝１１＊ｔ＿ｓｙｍｂｏｌの場合に最も効率的な処理が可能になる。
【０１１２】
このため、オフセット決定部２２６は、下記（２）式を満たすｎを求める。そして、第１受信単位６２１をｎシンボル、第２受信単位６２２を１１−ｎシンボル、第３受信単位６２３を３シンボルとする。図６に示す例はｎ＝８の場合を示しており、この場合は上述したように、第１受信単位６２１が８シンボル、第２受信単位６２２が８シンボル、第３受信単位６２３が３シンボルになる。
【０１１３】
【数２】
2018067761.tif 000004
【０１１４】
これにより、無線信号処理部２２２は、たとえば９シンボル程度の受信が完了した時点で無線信号処理を開始することができる。この場合は、サブフレームの受信が完了した後に無線信号処理を開始する場合と比較して５シンボル程度長く処理時間を確保できる。たとえば、サブフレームの受信が完了した後に無線信号処理を開始する場合は、無線信号処理に使用できる時間は３７シンボル程度である。一方、９シンボル程度の受信が完了した時点で無線信号処理を開始する場合は、無線信号処理に使用できる時間は理想的な場合で１４＊３＝４２シンボルになる。したがって、無線信号処理に使用できる時間を１３．５％程度改善することが期待できる。
【０１１５】
たとえば、処理時間情報記憶部２２５には１シンボル分のＦＦＴにかかる時間ｔ＿ＦＦＴ＿ｓｙｍｂｏｌおよび１シンボルの時間ｔ＿ｓｙｍｂｏｌが記憶されている。そして、オフセット決定部２２６は、処理時間情報記憶部２２５に記憶された時間ｔ＿ＦＦＴ＿ｓｙｍｂｏｌおよび時間ｔ＿ｓｙｍｂｏｌに基づいてパラメータｎを算出する。そして、オフセット決定部２２６は、算出したパラメータｎを受信単位設定部２２７へ通知する。
【０１１６】
また、オフセット決定部２２６は、算出したパラメータｎに基づいてオフセット３５１を算出する。たとえば、オフセット決定部２２６は、オフセット３５１を、３＊ｔ＿ｓｙｍｂｏｌ＋ｎ＊ｔ＿ＦＦＴ＿ｓｙｍｂｏｌによって算出する。そして、オフセット決定部２２６は、算出したオフセット３５１を同期信号補正部２２４へ通知する。これにより、サブフレームの終了時刻から２番目のリファレンス信号の受信までの時間と、２番目のリファレンス信号の受信完了までに可能なＦＦＴの処理時間と、を合わせた時間分、無線信号処理の開始を早めることができる。
【０１１７】
受信単位設定部２２７は、オフセット決定部２２６から通知されたパラメータｎに基づく第１受信単位６２１（ｎシンボル）および第２受信単位６２２（１１−ｎシンボル）と、第３受信単位６２３（３シンボル）と、を送受ユニット２２１に設定する。
【０１１８】
また、パラメータｎ、オフセット３５１、第１受信単位６２１、第２受信単位６２２および第３受信単位６２３は、時間ｔ＿ＦＦＴ＿ｓｙｍｂｏｌおよび時間ｔ＿ｓｙｍｂｏｌに基づいて決まる値である。そして、時間ｔ＿ＦＦＴ＿ｓｙｍｂｏｌは無線制御装置１２０の処理能力で決まり、時間ｔ＿ｓｙｍｂｏｌは無線通信システム内で定義されている。
【０１１９】
このため、これらの情報は予め計算してメモリに記憶されていてもよい。たとえば、無線制御装置１２０のメモリには、時間ｔ＿ＦＦＴ＿ｓｙｍｂｏｌおよび時間ｔ＿ｓｙｍｂｏｌに基づいて算出されたオフセット３５１、第１受信単位６２１、第２受信単位６２２および第３受信単位６２３が記憶されていてもよい。
【０１２０】
この場合は、同期信号補正部２２４は、無線制御装置１２０のメモリに記憶されたオフセット３５１を用いて上述の第２同期信号補正３５０を行う。また、受信単位設定部２２７は、無線制御装置１２０のメモリに記憶された第１受信単位６２１、第２受信単位６２２および第３受信単位６２３に基づいて無線ユニット２１１の受信単位を設定する。この場合は図２に示した処理時間情報記憶部２２５およびオフセット決定部２２６は省いた構成としてもよい。
【０１２１】
（実施の形態にかかる同期信号の生成時刻の予測）
図７および図８は、実施の形態にかかる同期信号の生成時刻の予測の一例を示す図である。図７に示すテーブル７００のｘは、サブフレーム（サンプル）の番号である。テーブル７００のｙは同期信号生成部２２３によって同期信号が生成される時刻である。テーブル７００のｉｎｔｅｒｖａｌは、対応する同期信号が生成された時刻から次の同期信号が生成されるまでの時間間隔である。
【０１２２】
時刻データ７０１は、同期信号生成部２２３が同期信号を生成した各時刻のうち、同期信号補正部２２４がｙ＝ａｘ＋ｂの係数ｂを更新するタイミングにおける最新の２０サンプル分の同期信号の各生成時刻である。図７に示す例では、時刻データ７０１にはｘ＝１〜２０の各同期信号が生成された各時刻が含まれる。
【０１２３】
たとえば、同期信号補正部２２４は、２０サンプル分の時刻データ７０１に基づいて、将来の１０サンプル分の同期信号の各生成時刻を予測する。図７に示す例では、同期信号補正部２２４は、ｘ＝２１〜３０の各同期信号が同期信号生成部２２３によって生成される各時刻を予測する。
【０１２４】
図７に示す例では、同期信号補正部２２４は、上記（１）式においてｎ＝２０として係数ａ＝１０１６．７６７および係数ｂ＝２．９４７を算出する。そして、同期信号補正部２２４は、算出した係数ａ，ｂおよびｙ＝ａｘ＋ｂによって、ｘ＝２１〜３０の各同期信号が同期信号生成部２２３によって生成される各時刻を予測する。時刻データ７０１のｌｉｎｅａｒｉｚｅｄの予測結果７０２は、同期信号補正部２２４が算出した係数ａ，ｂおよびｙ＝ａｘ＋ｂによって予測した、ｘ＝２１〜３０の各同期信号の生成時刻である。たとえば、同期信号補正部２２４は、ｘ＝２０の次のｘ＝２１の同期信号は時刻＝２１３５５に生成されると予測する。
【０１２５】
したがって、同期信号補正部２２４は、予測結果７０２が示す各時刻において同期信号を無線信号処理部２２２へ出力する。また、同期信号補正部２２４は、予測結果７０２が示す各時刻を上述のオフセット３５１だけ早めた各時刻においてオフセット同期信号を無線信号処理部２２２へ出力する。
【０１２６】
図８において、横軸はｘ（サブフレームの番号）を示し、縦軸は時刻［μｓ］を示している。受信データ８０１は、ｘ≡１〜２０の各同期信号のうちのｘ≡１〜１０の各同期信号が同期信号生成部２２３から出力された時刻を示している。予測結果８０２は、ｘ≡１〜２０の各同期信号が同期信号生成部２２３から出力された時刻に基づいて算出された係数ａ，ｂに基づく線形近似結果（ｙ＝ａｘ＋ｂ）を示している。
【０１２７】
（実施の形態にかかる無線制御装置による初期化処理）
図９は、実施の形態にかかる無線制御装置による初期化処理の一例を示すフローチャートである。実施の形態にかかる無線制御装置１２０は、起動時の初期化処理として、たとえば図９に示す各ステップを実行する。
【０１２８】
まず、無線制御装置１２０のオフセット決定部２２６は、処理時間情報記憶部２２５に記憶された処理時間情報を読み込む（ステップＳ９０１）。つぎに、無線制御装置１２０のオフセット決定部２２６は、ステップＳ９０１によって読み込まれた処理時間情報に基づいて、無線信号処理の開始のオフセット３５１を決定する（ステップＳ９０２）。
【０１２９】
つぎに、無線制御装置１２０の受信単位設定部２２７は、ステップＳ９０１によって読み込まれた処理時間情報に基づいて算出された受信単位を送受ユニット２２１に設定し（ステップＳ９０３）一連の初期化処理を終了する。
【０１３０】
（実施の形態にかかる無線制御装置による同期処理）
図１０は、実施の形態にかかる無線制御装置による同期処理の一例を示すフローチャートである。実施の形態にかかる無線制御装置１２０は、図９に示した初期化処理の後の同期処理として、たとえば図１０に示す各ステップを実行する。
【０１３１】
まず、無線制御装置１２０の送受ユニット２２１は、図９に示したステップＳ９０３によって設定された受信単位毎に１サブフレームの受信を行う（ステップＳ１００１）。つぎに、無線制御装置１２０の同期信号補正部２２４は、ステップＳ１００１によるサブフレームの受信の結果、将来の同期信号生成部２２３による同期信号の生成時刻を予測可能な数のサンプル（受信データ）が蓄積済みか否かを判断する（ステップＳ１００２）。
【０１３２】
ステップＳ１００２において、同期信号の生成時刻を予測可能な数のサンプルが蓄積済みでない場合（ステップＳ１００２：Ｎｏ）は、無線制御装置１２０の同期信号補正部２２４は、ステップＳ１００１へ戻る。同期信号の生成時刻を予測可能な数のサンプルが蓄積済みである場合（ステップＳ１００２：Ｙｅｓ）は、無線制御装置１２０の同期信号補正部２２４は、予測係数更新タイミングか否かを判断する（ステップＳ１００３）。予測係数更新タイミングは、たとえば周期的なタイミングである。
【０１３３】
ステップＳ１００３において、予測係数更新タイミングでない場合（ステップＳ１００３：Ｎｏ）は、無線制御装置１２０の同期信号補正部２２４は、ステップＳ１００５へ移行する。予測係数更新タイミングである場合（ステップＳ１００３：Ｙｅｓ）は、無線制御装置１２０の同期信号補正部２２４は、上記（１）式および同期信号生成部２２３による最新の同期信号の各生成時刻に基づいて予測係数を更新する（ステップＳ１００４）。予測係数は、上述した一次式ｙ＝ａｘ＋ｂの係数ａ，ｂ（または係数ｂ）である。
【０１３４】
つぎに、無線制御装置１２０の同期信号生成部２２３は、ステップＳ１００１において１サブフレームの受信を行ったことを示す同期信号を生成する（ステップＳ１００５）。つぎに、無線制御装置１２０の同期信号補正部２２４は、ステップＳ１００５によって生成された同期信号を補正する（ステップＳ１００６）。たとえば、同期信号補正部２２４は、ステップＳ１００４によって更新された最新の係数ａ，ｂおよびｙ＝ａｘ＋ｂに基づく予測時刻を算出する。
【０１３５】
つぎに、無線制御装置１２０の同期信号補正部２２４は、ステップＳ１００６によって補正した同期信号を無線信号処理部２２２へ出力し（ステップＳ１００７）、ステップＳ１００１へ戻る。ステップＳ１００７において、同期信号補正部２２４は、たとえば、ステップＳ１００６によって算出した予測時刻にパルス信号を出力することにより補正後の同期信号を出力する。
【０１３６】
（実施の形態にかかる無線制御装置のハードウェア構成）
図１１は、実施の形態にかかる無線制御装置のハードウェア構成の一例を示す図である。図２に示した無線制御装置１２０は、たとえば図１１に示す情報処理装置１１００によって実現することができる。情報処理装置１１００は、たとえば、汎用サーバなどの汎用のコンピュータである。情報処理装置１１００は、プロセッサ１１０１と、メモリ１１０２と、通信インタフェース１１０３と、を備える。プロセッサ１１０１、メモリ１１０２および通信インタフェース１１０３は、たとえばバス１１０９により接続される。
【０１３７】
プロセッサ１１０１は、信号処理を行う回路であり、たとえば情報処理装置１１００の全体の制御を司るＣＰＵである。メモリ１１０２には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、プロセッサ１１０１のワークエリアとして使用される。補助メモリは、たとえば磁気ディスク、光ディスク、フラッシュメモリなどの不揮発メモリである。補助メモリには、情報処理装置１１００を動作させる各種のプログラムが記憶されている。補助メモリに記憶されたプログラムは、メインメモリにロードされてプロセッサ１１０１によって実行される。
【０１３８】
通信インタフェース１１０３には、伝送路１０１を介して無線装置１１０との間で信号伝送を行う通信インタフェース（たとえばイーサネットの通信インタフェース）が含まれる。また、通信インタフェース１１０３には、基地局１００の上位装置との間で信号伝送を行う通信インタフェースが含まれていてもよい。通信インタフェース１１０３は、プロセッサ１１０１によって制御される。
【０１３９】
図１に示した無線制御装置１２０の通信部１２１は、たとえば通信インタフェース１１０３により実現される。図１に示した無線制御装置１２０の制御部１２２は、たとえばプロセッサ１１０１により実現される。
【０１４０】
また、図１に示した無線装置１１０の無線部１１１は、たとえば、アンテナ、アンプ、ミキサ、ＡＤＣなどの回路によって実現される。また、図１に示した無線装置１１０の無線部１１１は、情報処理装置１１００の通信インタフェース１１０３との間で伝送路１０１を介して信号伝送を行う通信インタフェース（たとえばイーサネットの通信インタフェース）により実現することができる。
【０１４１】
このように、実施の形態にかかる無線制御装置１２０は、無線装置１１０から信号を所定量受信する毎に時刻を記憶し、記憶した複数の時刻に基づいて算出した時刻に基づいて無線信号処理を行う。これにより、無線装置１１０から無線制御装置１２０への伝送路１０１による信号の伝送のタイミングが揺らいでも、揺らぎを抑えた信号のタイミングを算出して無線信号処理を行うことができる。このため、無線制御装置１２０における無線信号処理に使用可能な時間を長くすることができる。
【０１４２】
また、実施の形態にかかる無線制御装置１２０は、記憶した複数の時刻に基づいて無線装置１１０から信号を所定量受信する時刻を算出し、算出した予測時刻より早い時刻に、信号を復号する処理を開始してもよい。これにより、基地局１００の受信信号に対する無線信号処理に使用可能な時間を長くすることができる。
【０１４３】
無線制御装置１２０における無線信号処理に使用可能な時間を長くすることにより、たとえば無線制御装置１２０における無線信号処理を行うハードウェアの処理性能が低くても規定の無線通信を実現することができる。これにより、たとえば無線制御装置１２０における無線信号処理を行うＣＰＵのコア数やクロック数を少なくすることが可能になる。このため、たとえば製造コストや消費電力の削減を図ることができる。
【０１４４】
上述した実施の形態では、同期信号生成部２２３によって仮の同期信号を生成し、同期信号生成部２２３によって仮の同期信号が生成された時刻に基づいて同期信号補正部２２４が補正後の同期信号を生成する構成について説明したが、このような構成に限らない。たとえば、同期信号生成部２２３は、仮の同期信号を生成せずに、送受ユニット２２１から出力された信号のサンプル数の計数結果が所定数に達した各時刻を同期信号補正部２２４へ通知してもよい。この場合は、同期信号補正部２２４は、同期信号生成部２２３から通知された各時刻に基づいて同期信号を生成する。
【０１４５】
以上説明したように、無線制御装置、無線装置および処理方法によれば、無線装置から無声制御装置への信号伝送の時間が揺らいでも無線制御装置の無線信号処理に使用可能な時間を長くすることができる。
【０１４６】
たとえば、近年、第４世代移動通信システムとしてＬＴＥが導入されている。一方、有線のコアネットワークではＳＤＮやＮＦＶなどの仮想化技術を適用した汎用サーバへのネットワーク機器の実装が進められている。ＳＤＮはＳｏｆｔｗａｒｅ  Ｄｅｆｉｎｅｄ  Ｎｅｔｗｏｒｋの略である。ＮＦＶはＮｅｔｗｏｒｋ  Ｆｕｎｃｔｉｏｎ  Ｖｉｒｔｕａｌｉｚａｔｉｏｎの略である。
【０１４７】
従来は時間制約が少ない上位のレイヤの処理が汎用サーバに実装されてきたが、汎用サーバのハードウェアや汎用サーバで動作するＯＳのリアルタイム化の進化により、時間規定が厳しい下位レイヤの処理も汎用サーバへ実装することが検討されている。ＯＳはＯｐｅｒａｔｉｎｇ  Ｓｙｓｔｅｍ（オペレーティングシステム）の略である。
【０１４８】
また、近年、無線ネットワークでは基地局も仮想化の対象として検討されている。基地局で行われるような下位レイヤの処理を汎用サーバに実装する場合に、たとえば処理時間制約や無線装置とのインタフェースが課題となる。たとえば、従来、汎用サーバにおいては通信機能としてイーサネットが使用されている。一方、従来、基地局において、ベースバンド処理を行う基地局の本体（無線制御装置）と、アンテナユニットを含む無線部（無線装置）と、の間の接続にはＣＰＲＩなどの専用のインタフェースが用いられている。
【０１４９】
ＣＰＲＩなどの専用のインタフェースにおいては、無線周波数に同期したパケット長を持ち同期信号が埋め込まれたパケットが使用される。このようなインタフェースを使用することで基地局の本体と無線部は容易に同期をとることができる。しかし、たとえばＣＰＲＩを使用するには専用のハードウェアを汎用サーバに装着することを要し、この専用ハードウェアを要するという制約は、汎用サーバへの基地局の実装を制限する。
【０１５０】
このため、汎用サーバと無線装置との間のインタフェースにイーサネットを使用することが考えられる。たとえば標準的なＴＣＰ／ＩＰやＵＤＰ／ＩＰ等のインタフェースをイーサネットにおいて使用する場合は、これらのインタフェースでは正確な同期が考慮されていないため、新たな方法で基地局の本体と無線部との間の同期を実現することを要する。ＴＣＰ／ＩＰはＴｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌの略である。ＵＤＰ／ＩＰはＵｓｅｒ  Ｄａｔａｇｒａｍ  Ｐｒｏｔｏｃｏｌ／Ｉｎｔｅｒｎｅｔ  Ｐｒｏｔｏｃｏｌの略である。
【０１５１】
たとえば、イーサネットを使用してデータを送受信する場合に、ユーザデータだけでなく制御用のデータなどの送受信が行われたり、パケット自体に時刻情報がなかったりするため、ＣＰＲＩのように単にデータ送受のみで同期を確立することが困難である。また、受信データ数から無線フレームの境界を検出して無線フレーム同期を確立する方法では、データの到着時間の揺らぎにより、検出されたフレーム同期時刻にも揺らぎが発生する。
【０１５２】
この揺らぎの影響を受けないように無線信号処理を行おうとすると、この揺らぎ時間を完全に吸収できるように処理を短くしなければならず、汎用サーバのＣＰＵを使用できない時間が発生する。この結果、汎用サーバのＣＰＵに求められる処理性能が高くなる。たとえば、汎用サーバのＣＰＵのコア数やクロック数を高くすることを要し、信号処理のコストの増加や処理に要する消費電力の増加などの課題が発生する。
【０１５３】
これに対して、上述した実施の形態によれば、たとえば汎用サーバを用いて無線制御装置を構成し、無線フレームとは非同期の伝送系を使用して無線装置と無線制御装置を接続する場合に、データ到着揺らぎに起因する無線信号処理の時間の減少を小さくできる。これにより、少ないリソースで無線信号処理が可能となり、消費電力やコストの削減を図ることができる。
【０１５４】
上述した各実施の形態に関し、さらに以下の付記を開示する。
【０１５５】
（付記１）無線装置が無線により受信した信号を前記無線装置から受信する通信部と、
前記通信部によって信号が所定量受信される毎に時刻を記憶し、前記無線装置によって無線信号の送受信を行う無線信号処理を、記憶した複数の時刻に基づいて算出した時刻に基づいて行う制御部と、
を備えることを特徴とする無線制御装置。
【０１５６】
（付記２）前記制御部は、前記複数の時刻に基づく線形近似によって算出した時刻に基づいて前記無線信号処理を行うことを特徴とする付記１に記載の無線制御装置。
【０１５７】
（付記３）前記無線信号処理には、前記通信部によって受信された信号を復号する処理が含まれることを特徴とする付記１または２に記載の無線制御装置。
【０１５８】
（付記４）前記無線信号処理には、前記無線装置によって無線送信する信号を生成し、生成した信号を前記無線装置へ送信する処理が含まれることを特徴とする付記１〜３のいずれか一つに記載の無線制御装置。
【０１５９】
（付記５）前記無線信号処理には、前記通信部によって受信された信号を復号する処理が含まれ、
前記制御部は、前記複数の時刻に基づいて、前記通信部によって信号が前記所定量受信される予測時刻を算出し、算出した予測時刻より早い時刻に前記信号を復号する処理を開始する、
ことを特徴とする付記１〜４のいずれか一つに記載の無線制御装置。
【０１６０】
（付記６）前記制御部は、前記予測時刻より早い時刻に、前記信号を復号する処理に含まれるフーリエ変換を開始することを特徴とする付記５に記載の無線制御装置。
【０１６１】
（付記７）前記通信部は、前記無線装置から受信した信号を、前記所定量より少ない単位で前記制御部へ出力することを特徴とする付記５または６に記載の無線制御装置。
【０１６２】
（付記８）前記通信部は、前記無線信号の送受信と非同期の伝送路を介して、前記無線装置が無線により受信した信号を前記無線装置から受信することを特徴とする付記１〜７のいずれか一つに記載の無線制御装置。
【０１６３】
（付記９）無線信号の送受信が可能な無線部と、
自装置から信号を所定量受信する毎に時刻を記憶し、自装置によって無線信号の送受信を行う無線信号処理を、記憶した複数の時刻に基づいて算出した時刻に基づいて行う無線制御装置へ、前記無線部によって受信された信号を送信する通信部と、
を備えることを特徴とする無線装置。
【０１６４】
（付記１０）無線信号の送受信が可能であり、無線により受信した信号を送信する無線装置と、
前記無線装置から信号を所定量受信する毎に時刻を記憶し、前記無線装置によって無線信号の送受信を行う無線信号処理を、記憶した複数の時刻に基づいて算出した時刻に基づいて行う無線制御装置と、
を含むことを特徴とする基地局。
【０１６５】
（付記１１）無線装置と接続された無線制御装置による処理方法であって、
前記無線装置が無線により受信した信号を前記無線装置から受信し、
信号が所定量受信される毎に時刻を記憶し、
前記無線装置によって無線信号の送受信を行う無線信号処理を、記憶した複数の時刻に基づいて算出した時刻に基づいて行う、
ことを特徴とする処理方法。
【０１６６】
（付記１２）無線信号の送受信が可能な無線装置による処理方法であって、
無線により信号を受信し、
自装置から信号を所定量受信する毎に時刻を記憶し、自装置によって無線信号の送受信を行う無線信号処理を、記憶した複数の時刻に基づいて算出した時刻に基づいて行う無線制御装置へ、受信した信号を送信する、
ことを特徴とする処理方法。
【符号の説明】
【０１６７】
１００  基地局
１０１  伝送路
１１０  無線装置
１１１  無線部
１１１ａ，１１１ｂ  アンテナ
１１２，１２１  通信部
１２０  無線制御装置
１２２，４０１  制御部
１３０  端末
２１１  無線ユニット
２１２，２２１  送受ユニット
２２２  無線信号処理部
２２３  同期信号生成部
２２４  同期信号補正部
２２５  処理時間情報記憶部
２２６  オフセット決定部
２２７  受信単位設定部
３１０，５１０  サブフレーム
３２０  無線信号
３２１，３２２  信号
３３０  同期信号生成
３３１  遅延時間
３３２，３５４〜３５６  送受ユニット受信処理
３３３  最小遅延
３３４  最大遅延
３３５，３４２  同期信号
３３６，３４３，３５７  使用可能処理時間
３３７  マージン
３４０  第１同期信号補正
３４１  予測時刻
３５０  第２同期信号補正
３５１  オフセット
３５２  補正時刻
３５３  オフセット同期信号
４０２  ＦＦＴ部
４０３  チャネル推定部
４０４  等化部
４０５  ＩＤＦＴ部
４０６  デマッピング部
４０７  復号部
５２１〜５２６，６１０，６３１〜６３５  無線信号処理
６２１  第１受信単位
６２２  第２受信単位
６２３  第３受信単位
７００  テーブル
７０１  時刻データ
７０２，８０２  予測結果
８０１  受信データ
１１００  情報処理装置
１１０１  プロセッサ
１１０２  メモリ
１１０３  通信インタフェース
１１０９  バス
【図１】
2018067761.tif 000005
【図２】
2018067761.tif 000006
【図３】
2018067761.tif 000007
【図４】
2018067761.tif 000008
【図５】
2018067761.tif 000009
【図６】
2018067761.tif 000010
【図７】
2018067761.tif 000011
【図８】
2018067761.tif 000012
【図９】
2018067761.tif 000013
【図１０】
2018067761.tif 000014
【図１１】
2018067761.tif 000015